(57)【要約】【課題】顧客情報の聴取と審査処理を効率的に行い、申込の開始から審査完了までの時間を短縮する。【解決手段】クライアント端末を操作して新規申込ページにアクセスすると、（Ｓ３０１）、クライアント端末のディスプレイには新規申込用入力フォームが表示され、融資の契約に必要な情報の入力が複数回に分けて要求される。１回目の入力要求（Ｓ３０２）では、融資条件の審査に必要な第１の顧客情報の入力が要求され、２回目の入力要求（Ｓ３０４）では、第１の顧客情報とは異なる第２の顧客情報の入力が要求される。そして、第２の顧客情報を要求している間に、第１の顧客情報を用いて融資条件の審査が実行される（Ｓ３０８）。【選択図】図３
2007206982.tif 000002
【特許請求の範囲】
【請求項１】
第１の顧客情報の入力を要求する第１の顧客情報取得手段と、
前記第１の顧客情報を取得した後、前記第１の顧客情報とは異なる第２の顧客情報の入力を要求する第２の顧客情報取得手段と、
前記第２の顧客情報取得手段が前記第２の顧客情報を要求している間に、前記第１の顧客情報を用いて融資条件の審査を実行する審査手段を備えることを特徴とする融資審査支援システム。
【請求項２】
前記審査手段は、前記第１の顧客情報を用いて所定の審査項目について順次審査していき、いずれかの審査項目において条件を満たなかった場合にはその場で残りの審査項目の審査を中止することを特徴とする請求項１に記載の融資審査支援システム。
【請求項３】
前記第１の顧客情報は、少なくとも顧客の氏名及び生年月日を含むことを特徴とする請求項１又は２に記載の融資審査支援システム。
【請求項４】
前記第１の顧客情報は、前記顧客の住所及び電話番号をさらに含むことを特徴とする請求項３に記載の融資審査支援システム。
【請求項５】
前記第１の顧客情報の取得が所定の時間帯に行われたかどうかを判定する時間判定手段と、
前記時間判定手段による判定の結果、前記第１の顧客情報の取得が前記所定の時間帯でない場合に前記第１の顧客情報を保留する顧客情報保留手段とをさらに備え、
前記審査手段は、現在の時刻が前記所定の時間帯となったとき、前記顧客情報保留手段に保留された前記第１の顧客情報を信用情報機関に照会して前記顧客の信用情報を取得し、当該信用情報をもとに融資条件を審査することを特徴とする請求項１乃至４のいずれか１項に記載の融資審査支援システム。
【請求項６】
前記審査手段は、現在の時刻が前記所定の時間帯となったとき自動的に前記照会処理を開始することを特徴とする請求項５に記載の融資審査支援システム。
【請求項７】
前記審査手段は、現在の時刻が前記所定の時間帯となり、かつ外部から照会開始の指示を受けたとき、前記照会処理を開始することを特徴とする請求項５に記載の融資業務支援システム。
【請求項８】
前記信用情報機関が複数ある場合に、信用情報機関ごとに前記所定の時間帯を設定する時間設定手段をさらに備えることを特徴とする請求項５乃至７のいずれか一項に記載の融資審査支援システム。
【発明の詳細な説明】
【技術分野】
【０００１】
本発明は、融資審査支援システムに関し、特に、顧客からの融資の申込を受け付け、融資の可否を審査し、融資条件を算出し、審査結果を告知するまでの一連の業務を支援し、管理する融資審査支援システムに関するものである。
【背景技術】
【０００２】
銀行、消費者金融機関、クレジットカード会社、信販会社等の各金融機関は、融資の申込をインターネット上で受け付け、自動審査を実行し、契約を締結するまでの一連の業務を支援し、管理する融資審査支援システムを導入し、顧客へのサービス向上と業務の効率化を図っている（特許文献１及び２参照）。従来のように窓口で申込を受け付ける場合には、営業時間内での受け付けとせざるを得ないが、インターネット上での受付であれば無人で受け付け処理を行うことができるので、２４時間いつでも申込を受け付けることが可能であり、顧客にとっても非常に便利である。
【特許文献１】特開２００２−２８８４２６号公報
【特許文献２】特開２００２−１５７４２２号公報
【発明の開示】
【発明が解決しようとする課題】
【０００３】
しかしながら、従来の融資審査支援システムにおいては、契約に必要な項目を一通り聴取し終わってから審査処理を開始していたので、申込を開始してから審査結果が出るまでに長時間を要していた。
【０００４】
したがって、本発明の目的は、顧客情報の聴取と審査処理を効率的に行い、申込の開始から審査完了までの時間を短縮することが可能な融資審査支援システムを提供することにある。
【課題を解決するための手段】
【０００５】
本発明の上記目的は、第１の顧客情報の入力を要求する第１の顧客情報取得手段と、前記第１の顧客情報を取得した後、前記第１の顧客情報とは異なる第２の顧客情報の入力を要求する第２の顧客情報取得手段と、前記第２の顧客情報取得手段が前記第２の顧客情報を要求している間に、前記第１の顧客情報を用いて融資条件の審査を実行する審査手段を備えることを特徴とする融資審査支援システムによって達成される。
【０００６】
本発明において、前記審査手段は、前記第１の顧客情報を用いて所定の審査項目について順次審査していき、いずれかの審査項目において条件を満たなかった場合にはその場で残りの審査項目の審査を中止することが好ましい。これによれば、無駄な処理を行うことなく審査結果を早期に告知することができる。
【０００７】
本発明において、前記第１の顧客情報は、少なくとも顧客の氏名及び生年月日を含むことが好ましく、前記顧客の住所及び電話番号をさらに含むことが好ましい。これらの情報は、顧客の身元を特定する場合に特に重要な情報であり、外部情報機関へ信用情報を照会する際にも必要な情報だからである。
【発明の効果】
【０００８】
本発明によれば、申込の開始から審査完了までの時間を短縮することができ、顧客にとって負担の少ないシステムを提供することができる。
【発明を実施するための最良の形態】
【０００９】
以下、添付図面を参照しながら、本発明の好ましい実施形態について詳細に説明する。
【００１０】
図１は、本発明の好ましい実施形態に係る融資審査支援システムの構成を示す模式図である。
【００１１】
図１に示すように、融資審査支援システム１０は、Ｗｅｂサービスを提供するＷｅｂシステム１１と、顧客Ｘからの融資の申込の受付処理を行うフロントシステム１２と、顧客情報をもとに融資条件（与信）を算出するホストシステム１３と、受付時の顧客情報が登録された受付用顧客データベース１４と、フロントシステム１２に接続されたオペレータ端末１５とを備えている。顧客Ｘが操作するクライアント端末１６は、インターネット１７経由で融資審査支援システム１０のＷｅｂシステム１１に接続可能となっている。
【００１２】
Ｗｅｂシステム１１は、融資機関ＡのＷｅｂサイトをインターネット上に公開しており、融資の申込の受付サービスを提供している。Ｗｅｂ上で受け付けた顧客情報は受付用顧客データベース１４に転送される。Ｗｅｂシステム１１はまたＥメールを送受信する機能を有している。クライアント端末１６がＷｅｂサイトにアクセスすると、クライアント端末１６にはＨＴＭＬ等の画面データが送られ、クライアント端末１６のディスプレイには種々の画面が表示される。
【００１３】
フロントシステム１２は、受付用顧客データベース１４を管理する機能を有している。オペレータＹはオペレータ端末１５からフロントシステム１２を介して受付用顧客データベース１４の内容を閲覧することができ、登録内容の変更も可能である。ホストシステム１３は、与信を算出するための各種データベースを備えており、また外部の信用情報機関のデータベース（以下、単に信用情報機関という）１８にアクセスして、顧客の信用情報を取得する機能も備えている。なお、信用情報機関１８としては、消費者金融系の信用情報機関、信販・クレジット系の信用情報機関、銀行系の信用情報機関等、種々の信用情報機関が存在している。受付用顧客データベース１４は、融資申込に対する審査状況（審査済み／未審査）を管理しており、申込の受け付け後に審査が保留された案件は未審査案件として登録され、審査可能となった時点で一括処理される。クライアント端末１６は、融資を申し込もうとする顧客Ｘが使用する端末であり、例えば、Ｗｅｂブラウジング機能を備えたパーソナルコンピュータ、ＰＤＡ、携帯電話等を用いることができる。
【００１４】
図２は、融資審査支援システム１０の構成を機能的に示すブロック図である。
【００１５】
図２に示すように、融資審査支援システム１０は、第１の顧客情報の入力を要求する第１の顧客情報取得手段２１と、第１の顧客情報を取得した後、第１の顧客情報とは異なる第２の顧客情報の入力を要求する第２の顧客情報取得手段２２と、第２の顧客情報取得手段が第２の顧客情報を要求している間に、第１の顧客情報を用いて融資条件の審査を実行する審査手段２３と、第１の顧客情報の取得が所定の時間帯に行われたかどうかを判定する時間判定手段２４と、時間判定手段２４による判定の結果、第１の顧客情報の取得が所定の時間帯でない場合に第１の顧客情報を保留する顧客情報保留手段２５と、審査手段２３によって求められた審査結果を顧客に告知するための審査結果告知手段２６とを備えている。そして、審査手段２３は、第１の顧客情報を用いて所定の審査項目について順次審査していき、いずれかの審査項目において条件を満たなかった場合にはその場で残りの審査項目の審査を中止する機能を備えている。また審査手段２３は、現在の時刻が所定の時間帯となったとき、顧客情報保留手段に保留された第１の顧客情報を信用情報機関に照会して顧客の信用情報を取得し、当該信用情報をもとに融資条件を審査する機能を備えている。ここで、第１及び第２の顧客情報取得手段２１、２２は、主としてＷｅｂシステム１１及び受付用顧客データベース１４によって、審査手段２３は、主としてフロントシステム１２及びホストシステム１３によって、時間判定手段２４及び顧客情報保留手段２５は、主としてフロントシステム１２及び受付用顧客データベース１４によって、審査結果告知手段２６は、主としてＷｅｂシステム１１及びフロントシステム１２によって、それぞれ実現されている。
【００１６】
次に、図３のフローチャートを参照しながら、融資審査支援システム１０による申込の受付処理について詳細に説明する。
【００１７】
融資の申込をインターネット上で行う場合、顧客Ｘはまず、クライアント端末１６を操作して融資機関ＡのＷｅｂサイトの新規申込ページにアクセスする（Ｓ３０１）。クライアント端末１６にはＷｅｂシステムから新規申込用入力フォームの画面データが送られるので、クライアント端末１６のディスプレイには新規申込用入力フォームが表示され（Ｓ３０２）、融資の契約に必要な情報の入力が複数回に分けて要求される。
【００１８】
図４は、第１の新規申込用入力フォームの一例を示す画面図である。
【００１９】
図４に示すように、第１の新規申込用入力フォーム４０には、顧客の「氏名」４１、「生年月日」４２、「住所」４３、「電話番号」４４、「勤務先情報」４５等の入力欄が用意されている。これらは、主に融資条件の審査に必要な項目であるが、それ以外の項目が多少含まれていてもかまわない。顧客がこれらの必要事項を入力した後、「次へ」ボタン４６をクリックすると、これらの情報はＷｅｂシステム１１に送られ、Ｗｅｂシステム１１を介して受付用顧客データベース１４に登録される（Ｓ３０３）。次いで、クライアント端末１６のディスプレイには第２の新規申込用入力フォームが表示される（Ｓ３０４）。
【００２０】
図５は、第２の新規申込用入力フォームの一例を示す画面図である。
【００２１】
図５に示すように、第２の新規申込用入力フォーム５０には、「契約方法の選択」５１、「今回の借入希望額」５２、「融資契約額(極度額）」５３、「メールアドレス」５４、「カード暗証番号」５５、「振込先口座」５６等の入力欄が用意されている。２回目の入力要求では、１回目の入力要求で聴取していない残りの項目についての入力が要求される。２回目に要求される項目は、融資条件の審査に必要な情報というよりもむしろ、融資契約の手続を進める上で必要な項目又は聴取しておいたほうが好ましい項目である。顧客がこれらの必要事項を入力した後、「確認」ボタン５７をクリックすると、これらの情報はＷｅｂシステム１１に送られ、Ｗｅｂシステム１１を介して受付用顧客データベース１４に登録される（Ｓ３０５）。一方、クライアント端末１６のディスプレイには入力内容確認画面が表示され、次いで申込手続完了画面が表示される（Ｓ３０６）。
【００２２】
一方、融資条件の審査は、第１の顧客情報を聴取した後、直ちに開始される（Ｓ３０８）。つまり、２回目の顧客情報の入力要求を行っている間（Ｓ３０４乃至３０６）に実行される。このとき、第１の顧客情報を受信したフロントシステム１２は、現在の時刻を確認し、現在の時刻が信用情報機関の稼働時間内であれば審査処理を開始する。信用情報機関の多くは稼働時間帯（例えば９時から２０時まで）を設定しており、時間外の照会はできないからである。審査処理では、フロントシステム１２がホストシステム１３に顧客情報を照会し、ホストシステム１３が所定の審査項目について順次審査し、「融資可能」、「融資不可（謝絶）」又は「再審査」のいずれであるかを判断する。例えば、「生年月日」４２から顧客の現在の年齢を判断し、２０歳未満の場合等、所定の年齢条件を満たさないには「融資不可（謝絶）」と判断する。ホストシステム１３はまた、外部の信用情報機関１８にアクセスし、顧客情報をもとに他社借入状況等の信用情報を取得し、融資の可否の判定と与信額の算出を行う。こうして求められた審査結果は受付用顧客データベース１４に登録されるので、オペレータＹはオペレータ端末１５上で審査結果を確認することができる。
【００２３】
以上の審査処理は、顧客情報の受け付け時刻が信用情報機関１８の稼働時間内であれば直ちに開始されるが、信用情報機関１８の稼働時間外であれば、信用情報機関の稼働時間帯となるまでその処理が保留され、顧客情報は未審査案件として受付用顧客データベース１４に登録される。未審査案件の審査は、信用情報機関１８の稼働時間帯となった時点で自動的に開始され、未審査案件はリアルタイムに受け付けた申込の審査処理の合間に順次処理される。このような処理を行うことにより、通常の審査処理を遅延させることなく効率的な審査処理を行うことができる。
【００２４】
こうして審査結果が得られた後、フロントシステム１２は、クライアント端末１６のディスプレイに申込手続完了画面を表示させると共に、審査結果を告知するためのＥメール（審査結果告知メール）を指定のメールアドレスに送信する（Ｓ３０６）。この審査結果告知メールは、審査結果を直接知らせるものではなく、審査結果を告知する所定のＷｅｂページのＵＲＬを知らせるものである。このＵＲＬには顧客の固有情報が含まれており、顧客がＵＲＬにアクセスしたときには、当該顧客によるアクセスであることを知ることができる。また、審査結果が融資可能の場合であって、今回の申込と同時に借入を希望している場合には、指定の振込先口座に今回の借入希望額を振り込む処理も実行される（Ｓ３０７）。
【００２５】
顧客Ｘが審査結果告知メールの本文に記載されたＵＲＬにアクセスすると、クライアント端末１６にはログイン画面データが送られ、クライアント端末１６のディスプレイにはログイン画面が表示される。
【００２６】
図６は、審査結果を確認するためのログイン画面の一例を示す画面図である。
【００２７】
図６に示すように、審査結果確認用ログイン画面６０には、顧客が申込時に予め設定した「パスワード」入力欄６１と、「審査結果を見る」ボタン６２が表示されている。「パスワード」入力欄６１に必要事項を入力し、「審査結果を見る」ボタン６２をクリックすると、審査結果確認画面が表示される。上述の通り、審査結果には、「融資可能」、「融資不可（謝絶）」及び「再審査」の３通りがあり、それぞれに対応した確認画面が表示される。
【００２８】
図７乃至図９は、審査結果告知画面の一例である。審査結果が「融資可能」な場合、図７に示す審査結果確認画面７０には、融資が可能である旨の説明７１と、融資の契約内容及び利用方法についての説明７２が表示される。また、審査結果が「融資不可（謝絶）」の場合、図８に示す審査結果確認画面８０には、融資を受けることができない旨の説明８１が表示される。また、審査結果が「再審査」の場合、図９に示す審査結果確認画面には、店頭窓口等での再審査手続が必要である旨の案内が表示される。
【００２９】
以上説明したように、本実施形態によれば、融資の契約に必要な顧客情報の入力を２回に分けて要求し、１回目の入力要求により第１の顧客情報を取得した後、これとは異なる第２の顧客情報の入力を要求している間に、第１の顧客情報を用いて融資条件の審査を実行するので、顧客情報の聴取と審査処理とを効率よく行うことができ、申込の開始から審査完了までの時間を短縮することができる。
【００３０】
また、本実施形態によれば、第１の顧客情報を用いて所定の審査項目について順次審査していき、いずれかの審査項目において条件を満たなかった場合にはその場で残りの審査項目の審査を中止し、「融資不可（謝絶）」又は「再審査」と判断するので、審査処理を早期に完了させることができ、申込の開始から審査完了までに要する時間を短縮することができる。
【００３１】
本発明は、以上の実施形態に限定されることなく、本発明の趣旨を逸脱しない範囲内で種々の変更を加えることが可能であり、これらも本発明の範囲に包含されるものであることは言うまでもない。
【００３２】
例えば、上記実施形態においては、顧客情報の入力要求を２回に分けているが、３回以上に分けてもかまわない。例えば、顧客情報の入力要求を３回に分けて行う場合には、１回目の入力要求のときに審査に必要な項目を聴取し、２回目以降にその他の項目を聴取すると共に、２回目以降の聴取と並行して審査処理を実行するようにしてもよい。また、１回目及び２回目の入力要求のときに審査に必要な項目を聴取し、３回目以降にその他の項目を聴取すると共に、３回目の聴取と並行して審査処理を実行するようにしてもよい。
【００３３】
また、上記実施形態においては、審査結果告知メールによって審査結果を告知する所定のＷｅｂページのＵＲＬを知らせているが、メール本文に審査結果を直接記載してもかまわない。
【図面の簡単な説明】
【００３４】
【図１】図１は、本発明の好ましい実施形態に係る融資審査支援システムの構成を示す模式図である。
【図２】図２は、融資審査支援システム１０の構成を機能的に示すブロック図である。
【図３】図３は、融資審査支援システム１０による申込の受付処理について説明するためのフローチャートである。
【図４】図４は、融資の第１の新規申込用入力フォームの一例を示す画面図である。
【図５】図５は、融資の第２の新規申込用入力フォームの一例を示す画面図である。
【図６】図６は、審査結果を確認するためのログイン画面の一例を示す画面図である。
【図７】図７は、審査結果が「融資可能」の場合に表示される審査結果告知画面の一例である。
【図８】図８は、審査結果が「融資不可（謝絶）」の場合に表示される審査結果告知画面の一例である。
【図９】図９は、審査結果が「再審査」の場合に表示される審査結果告知画面の一例である。
【符号の説明】
【００３５】
１０    融資審査支援システム
１１    Ｗｅｂシステム
１２    フロントシステム
１３    ホストシステム
１４    受付用顧客データベース
１５    オペレータ端末
１６    クライアント端末
１７    インターネット
１８    信用情報機関
２１    第１の顧客情報取得手段
２２    第２の顧客情報取得手段
２３    審査手段
２４    審査結果告知手段
４０    第１の新規申込用入力フォーム
４１〜４５    第１の顧客情報の入力欄
４６    「次へ」ボタン
５０    第２の新規申込用入力フォーム
５１〜５６    第２の顧客情報の入力欄
５７    「確認」ボタン
６０    審査結果確認用ログイン画面
６１    「パスワード」入力欄
６２    「審査結果を見る」ボタン
７０    審査結果確認画面
７１    審査結果の説明文
７２    契約内容・利用方法の説明文
８０    審査結果確認画面
８１    審査結果の説明文
９０    審査結果確認画面
９１    審査結果の説明文
【図１】
2007206982.tif 000003
【図２】
2007206982.tif 000004
【図３】
2007206982.tif 000005
【図４】
2007206982.tif 000006
【図５】
2007206982.tif 000007
【図６】
2007206982.tif 000008
【図７】
2007206982.tif 000009
【図８】
2007206982.tif 000010
【図９】
2007206982.tif 000011